(57)【要約】      （修正有）【課題】移動マルチメディア端末、動画番組推奨方法及びそのサーバを提供する。【解決手段】端末による動画番組の再生中に、動画番組のＥＰＧから及び再生する動画番組からキー情報を抽出するステップと、端末のユーザに関連するソーシャルメディア情報をソーシャルメディアからクローリングするステップと、少なくとも、キー情報と、クローリングしたソーシャルメディア情報に基づいて、問い合わせリクエストを生成するステップと、問い合わせリクエストをサーバへ送信するステップと、サーバが、パブリックソーシャルメディアの情報を限定条件として、放送動画ライブラリーとインターネット動画ライブラリーから問い合わせリクエストを使用して動画番組を検索し、端末の動画番組推奨とするステップと、サーバが、動画番組推奨を端末へ送信するステップと、再生する番組に関連付けて当該動画番組推奨をユーザに提示するステップとを含む。【選択図】図１
2015090717.tif 000002
【特許請求の範囲】
【請求項１】
移動マルチメディア端末へ動画番組推奨を提供する方法において、
前記移動マルチメディア端末による動画番組の再生中に、前記動画番組の電子番組ガイダンスから、および再生する動画番組からキー情報を抽出するステップと、
前記移動マルチメディア端末のユーザに関連するソーシャルメディア情報をソーシャルメディアからクローリングするステップと、
少なくとも、前記キー情報と、クローリングしたソーシャルメディア情報に基づいて、問い合わせリクエストを生成するステップと、
前記問い合わせリクエストをサーバへ送信するステップと、
前記サーバが、パブリックソーシャルメディアの情報を限定条件として、放送動画ライブラリーとインターネット動画ライブラリーから前記問い合わせリクエストを使用して動画番組を検索し、当該移動マルチメディア端末の動画番組推奨とするステップと、
サーバが、前記動画番組推奨を移動マルチメディア端末へ送信するステップと、
再生する番組に関連付けて前記動画番組推奨をユーザに提示するステップと
を含むことを特徴とする方法。
【請求項２】
請求項１に記載の方法において、
前記動画番組の電子番組ガイダンスから、および再生する動画番組からキー情報を抽出するステップは、
前記電子番組ガイダンスを解析してキーワードを抽出ステップと、
前記動画番組からキーフレームを抽出するステップと、
抽出されたキーフレームを識別して、識別した文字内容を取得するステップと、
識別した文字内容の少なくとも一部と前記キーワードを合併して、前記キー情報とするステップと
を含むことを特徴とする方法。
【請求項３】
請求項２に記載の方法において、
前記動画番組からキーフレームを抽出するステップは、
前記動画番組のうち、動画ショットの主要内容を代表する画像フレームを抽出して、前記キーフレームとすることを含むことを特徴とする方法。
【請求項４】
請求項２に記載の方法において、
抽出されたキーフレームを識別するステップは、
抽出されたキーフレームにおける文字内容をテキスト識別技術で識別することを含むことを特徴とする方法。
【請求項５】
請求項２に記載の方法において、
識別した文字内容の少なくとも一部と前記キーワードを合併するステップは、
識別した文字内容の少なくとも一部と前記キーワードを重み付けてからソートして、前記キー情報を形成することを含むことを特徴とする方法。
【請求項６】
請求項１に記載の方法において、
前記サーバが、パブリックソーシャルメディアの情報を限定条件として、放送動画ライブラリーとインターネット動画ライブラリーから前記問い合わせリクエストを使用して動画番組を検索するステップは、
前記パブリックソーシャルメディア上の内容をクローリングして、パブリックソーシャルメディアインデックスを形成するステップと、
前記放送動画ライブラリーとインターネット動画ライブラリーをクローリングして、ストリーミング動画インデックスを得るステップと、
前記問い合わせリクエストを、前記パブリックソーシャルメディアインデックスと前記ストリーミング動画インデックスにマッチングさせるステップと、
マッチング度が所定閾値より高いパブリックソーシャルメディアインデックスまたはストリーミング動画インデックスに対応する内容を検索結果とするステップと
を含むことを特徴とする方法。
【請求項７】
請求項１に記載の方法において、
前記移動マルチメディア端末のユーザに関連するソーシャルメディア情報をソーシャルメディアからクローリングするステップは、
前記ユーザおよびその友人のソーシャルメディアアカウントを利用して、関連するソーシャルメディア情報をソーシャルメディアから取得することを含むことを特徴とする方法。
【請求項８】
請求項１に記載の方法において、
少なくとも、前記キー情報と、クローリングしたソーシャルメディア情報に基づいて、問い合わせリクエストを生成するステップは、
前記ユーザの鑑賞と検索履歴情報、前記キー情報およびクローリングしたソーシャルメディア情報に基づいて、問い合わせリクエストを生成することを含むことを特徴とする方法。
【請求項９】
請求項１に記載の方法において、
再生する番組に関連付けて前記動画番組推奨をユーザに提示するステップは、
再生する動画番組のタイプを検出して、動画番組開始前、再生中、または終了後に前記動画番組推奨をユーザに提示することを決定することを含むことを特徴とする方法。
【請求項１０】
請求項９に記載の方法において、
再生する番組に関連付けて前記動画番組推奨をユーザに提示するステップは、さらに、
ユーザによる動画番組推奨の選択に応じて、現在再生中の動画番組に影響を与えないように前記動画番組推奨のプレビューを再生することを含むことを特徴とする方法。
【請求項１１】
請求項１に記載の方法において、さらに、
前記ユーザによる前記動画番組推奨のクリック率を統計して、補助視聴情報とするステップと、
前記補助視聴情報をサーバへ送信するステップと
を含むことを特徴とする方法。
【請求項１２】
問い合わせリクエスト生成方法において、
移動マルチメディア端末による動画番組の再生中に、前記動画番組の電子番組ガイダンスから、および再生する番組からキー情報を抽出するステップと、
前記移動マルチメディア端末のユーザに関連するソーシャルメディア情報をソーシャルメディアからクローリングするステップと、
前記キー情報と、クローリングしたソーシャルメディア情報に基づいて、問い合わせリクエストを生成するステップと、
前記問い合わせリクエストをサーバへ送信し、前記サーバによって前記問い合わせリクエストに基づいて動画番組推奨を生成するステップと、
前記動画番組推奨を前記サーバから受信するステップと、
再生する番組に関連付けて前記動画番組推奨をユーザに提示するステップと
を含むことを特徴とする方法。
【請求項１３】
動画番組推奨提供方法において、
移動マルチメディア端末から、端末で再生中の動画番組の番組情報と、当該移動マルチメディア端末のユーザに関連するソーシャルメディア情報とに基づいて生成した問い合わせリクエストを受信するステップと、
パブリックソーシャルメディアの情報を限定条件として、放送動画ライブラリーとインターネット動画ライブラリーから前記問い合わせリクエストを使用して動画番組を検索し、当該移動マルチメディア端末の動画番組推奨とするステップと、
当該推奨動画番組の情報を当該移動マルチメディア端末へ送信して、当該移動マルチメディア端末で、再生する番組に関連付けて前記動画番組推奨を提示するステップと
を含むことを特徴とする方法。
【請求項１４】
問い合わせリクエストを生成する移動マルチメディア端末において、
移動マルチメディア端末による動画番組の再生中に、前記動画番組の電子番組ガイダンスから、および再生する番組からキー情報を抽出するキー情報抽出器と、
前記移動マルチメディア端末のユーザに関連するソーシャルメディア情報をソーシャルメディアからクローリングするクローラと、
前記キー情報と、クローリングしたソーシャルメディア情報に基づいて、問い合わせリクエストを生成する問い合わせリクエスト生成器と、
前記問い合わせリクエストをサーバへ送信し、前記サーバによって前記問い合わせリクエストに基づいて生成した動画番組推奨を前記サーバから受信する送受信機と、
再生する番組に関連付けて前記動画番組推奨をユーザに提示するプレイヤと
を含むことを特徴とする移動マルチメディア端末。
【請求項１５】
動画番組推奨を提供するサーバにおいて、
移動マルチメディア端末から、端末で再生中の動画番組の番組情報と、当該移動マルチメディア端末のユーザに関連するソーシャルメディア情報とに基づいて生成した問い合わせリクエストを受信する送受信器と、
パブリックソーシャルメディアの情報を限定条件として、放送動画ライブラリーとインターネット動画ライブラリーから前記問い合わせリクエストを使用して動画番組を検索し、当該移動マルチメディア端末の動画番組推奨とする検索エンジンと
を含み、
前記送受信器がさらに当該推奨動画番組の情報を当該移動マルチメディア端末へ送信することによって、当該移動マルチメディア端末で、再生する番組に関連付けて前記動画番組推奨を提示することを特徴とするサーバ。
【発明の詳細な説明】
【技術分野】
【０００１】
本願は、移動動画技術に係り、具体的に移動マルチメディア端末、動画番組推奨方法およびそのサーバに係る。
【背景技術】
【０００２】
インターネット技術と通信技術の発展に伴い、移動インターネット（Mobile  Internet）とマルチメディア放送（Multimedia  Broadcast）は、日常生活の各方面で広く応用されている。移動マルチメディア放送網は、例えば、ＣＭＭＢ（China  Mobile  Multimedia  Broadcast）、ＩＳＴＢ‐Ｔｍｍ（Integrated  Services  Digital  Broadcasting‐Terrestrial  mobile  multimedia）など、標準化の無線放送ネットワークシステムである。人々は、専用のＣＭＭＢ受信端末、またはＣＭＭＢモジュールを搭載した携帯電話を通して、テレビやラジオ番組といったマルチメディア放送を受信する。
【０００３】
この場合、移動マルチメディア端末は、伝統的なテレビ放送番組の受信ができるのみならず、インターネットにアクセスすることによってインターネット上のストリーミング動画番組を再生することもできる。例えば、ＣＭＭＢモジュールを具備したスマートフォンまたはタブレットパソコンは、ＷｉＦｉまたは無線広域網を介してインターネットにアクセスして、ネットワーク上の動画へのアクセスを実現する。しかし、インターネット上に大量の動画情報があり、ユーザは、自分の見たい動画を確定することが難しい。通常、ユーザは、キーワード検索の方法を採用して自分の見たい動画番組または自分の好みの番組を検索する。如何にして積極的にユーザの特徴に基づいてユーザに対して関連する動画番組を自動的に推奨することは、移動インターネット時代の１つの技術上の難題である。
【発明の概要】
【課題を解決するための手段】
【０００４】
従来技術における１つまたは複数の問題を考慮し、本願は、移動マルチメディア端末、動画番組推奨方法およびそのサーバを提供する。
【０００５】
本発明の一態様によれば、移動マルチメディア端末へ動画番組推奨を提供する方法を提供する。前記移動マルチメディア端末による動画番組の再生中に、前記動画番組の電子番組ガイダンスから、および再生する動画番組からキー情報を抽出するステップと、前記移動マルチメディア端末のユーザに関連するソーシャルメディア情報をソーシャルメディアからクローリングするステップと、少なくとも、前記キー情報と、クローリングしたソーシャルメディア情報に基づいて、問い合わせリクエストを生成するステップと、前記問い合わせリクエストをサーバへ送信するステップと、前記サーバが、パブリックソーシャルメディアの情報を限定条件として、放送動画ライブラリーとインターネット動画ライブラリーから前記問い合わせリクエストを使用して動画番組を検索し、当該移動マルチメディア端末の動画番組推奨とするステップと、サーバが、前記動画番組推奨を移動マルチメディア端末へ送信するステップと、再生する番組に関連付けて前記動画番組推奨をユーザに提示するステップとを含む。
【０００６】
本発明の別の態様によれば、問い合わせリクエスト生成方法を提供する。移動マルチメディア端末による動画番組の再生中に、前記動画番組の電子番組ガイダンスから、および再生する番組からキー情報を抽出するステップと、前記移動マルチメディア端末のユーザに関連するソーシャルメディア情報をソーシャルメディアからクローリングするステップと、前記キー情報と、クローリングしたソーシャルメディア情報に基づいて、問い合わせリクエストを生成するステップと、前記問い合わせリクエストをサーバへ送信し、前記サーバによって前記問い合わせリクエストに基づいて動画番組推奨を生成するステップと、前記動画番組推奨を前記サーバから受信するステップと、再生する番組に関連付けて前記動画番組推奨をユーザに提示するステップとを含む。
【０００７】
本発明のまた別の態様によれば、問い合わせリクエストを生成する移動マルチメディア端末を提供する。移動マルチメディア端末による動画番組の再生中に、前記動画番組の電子番組ガイダンスから、および再生する番組からキー情報を抽出するキー情報抽出器と、前記移動マルチメディア端末のユーザに関連するソーシャルメディア情報をソーシャルメディアからクローリングするクローラと、前記キー情報と、クローリングしたソーシャルメディア情報に基づいて、問い合わせリクエストを生成する問い合わせリクエスト生成器と、前記問い合わせリクエストをサーバへ送信し、前記サーバによって前記問い合わせリクエストに基づいて生成した動画番組推奨を前記サーバから受信する送受信機と、再生する番組に関連付けて前記動画番組推奨をユーザに提示するプレイヤとを含む。
【０００８】
本発明のまた別の態様によれば、動画番組推奨を提供するサーバを提供する。移動マルチメディア端末から、端末で再生中の動画番組の番組情報と、当該移動マルチメディア端末のユーザに関連するソーシャルメディア情報とに基づいて生成した問い合わせリクエストを受信する送受信器と、パブリックソーシャルメディアの情報を限定条件として、放送動画ライブラリーとインターネット動画ライブラリーから前記問い合わせリクエストを使用して動画番組を検索し、当該移動マルチメディア端末の動画番組推奨とする検索エンジンとを含む。前記送受信器がさらに当該推奨動画番組の情報を当該移動マルチメディア端末へ送信することによって、当該移動マルチメディア端末で、再生する番組に関連付けて前記動画番組推奨を提示する。
【発明の効果】
【０００９】
上記実施例のデバイスと方法を利用し、再生中の番組と再生中のユーザのソーシャルメディア情報を利用して問い合わせリクエストを生成してサーバ側に送信する。サーバは、パブリックソーシャルメディア情報を限定として、ストリーミングメディアライブラリーで問い合わせリクエストを利用して検索し、個性的でリアルタイムでの動画番組推奨を形成する。
【図面の簡単な説明】
【００１０】
【図１】本発明の一実施例による動画番組推奨システムの構造模式図である。
【図２】本発明の別の実施例による動画番組推奨システムでの移動インターネット端末とサーバの構造模式図である。
【図３】本発明の実施例による移動インターネット端末とサーバのインタラクティブを示す。
【図４】本発明の実施例による推奨方法のフロー図である。
【発明を実施するための形態】
【００１１】
以下、本願で開示する好ましい実施形態を、図面を参照しながら詳細に説明する。図面では、異なる図面に示されていながら、同一または類似な部品の表示には同一の図面記号が使われている。明確かつ簡潔に説明するために、ここに含まれる既知の機能と構造は、詳細な記載が省略され、本願の各実施例の主題が不明確にならないようにする。
【００１２】
図１は、本発明の一実施例による動画番組推奨システムの模式的ブロック図である。本願の１つまたは複数の実施例によれば、端末は、移動テレビモジュールを具備するスマートフォンである。したがって、端末は、放送テレビ番組の受信ができるのみならず、例えば、ＷｉＦｉや無線広域網を介したインターネット６００上の動画番組、例えばＹｏｕＴｕｂｅ（登録商標）など、およびソーシャルメディア５００へのアクセスもできる。例えば、ユーザは、端末１００におけるチューナー１１０を通して伝統的な放送番組を取得し、ブラウザ／ＡＰＰ１２０を通してインターネット上の動画番組を再生する。
【００１３】
図示の実施例では、移動マルチメディア端末１００による動画番組の再生中に、再生する番組の電子番組ガイダンスから、および再生する動画番組からキー情報を抽出し、移動マルチメディア端末１００のユーザ７００に関連するソーシャルメディア情報をソーシャルメディアからクローリングする。それから、少なくとも、キー情報と、クローリングしたソーシャルメディア情報に基づいて、問い合わせリクエストを生成し、問い合わせリクエストをサーバ２００へ送信する。例えば、一部の実施例では、端末１１０は、検索マネージャー１３０とソーシャルメディアマネージャー１４０をさらに含む。ソーシャルメディアマネージャー１４０は、ユーザの例えばツイッターやミニブログなどのソーシャルメディアアカウント、およびユーザ７００のいるソーシャルサークルのメンバーの一部の情報（例えばソーシャルメディア時間軸）を管理する。検索マネージャー１３０は、ユーザのソーシャルメディア情報および／または検索履歴情報を利用し、同時に放送番組のＥＰＧ（電子番組ガイダンス）中の情報および／または放送番組のキーフレーム中の情報に基づいて、検索リクエストを生成する。当該検索リクエストは、無線リンクを介してサーバ２００へ送信され、再生中の動画番組に対する動画推奨を捜し求める。
【００１４】
図示の実施例では、サーバ２００の検索エンジン２１０は、パブリックソーシャルメディアの情報を限定条件として、放送動画ライブラリー３００とインターネット動画ライブラリー４００から前記問い合わせリクエストを使用して動画番組を検索し、当該移動マルチメディア端末１００の動画番組推奨とする。それから、サーバ２００は、動画番組推奨を移動マルチメディア端末１００へ送信する。移動端末１００では、再生する番組に関連付けて当該動画番組推奨をユーザ７００に提示する。例えば、サーバ２００には、動画検索エンジン２１０を具備し、端末１００からの検索リクエストを受信した後に、関連するキーワードをパブリックソーシャルメディア５００からクローリングし、それからソーシャルメディアインデックスを形成し、同時にインターネットＣＤＮ４００のインターネット動画４１０および／またはテレビＣＤＮ３００の放送内容３１０と放送ＥＰＧ３２０から関連するキーワードをクローリングしてストリーミング動画インデックスを形成する。それから、サーバ２００は、当該検索リクエストを利用して、ストリーミングインデックスとソーシャルメディアインデックスから動画番組を検索して、動画推奨とする。他の実施例では、検索エンジン２１０は、パブリックソーシャルメディアを予めクローリングしてパブリックソーシャルメディアインデックスを形成し、動画ライブラリー３００と４００をクローリングしてストリーミング動画インデックスを形成し、検索リクエストの受信を待ってから、取得したインデックスから動画推奨を検索するのもいい。それから、サーバ２００は、検索エンジンによって得た動画推奨を端末１００に送信する。ユーザが前記動画推奨をクリックし、例えばインターネット動画ライブラリー中のある番組をクリックした後に、ブラウザ／ＡＰＰ１２０は、インターネット動画ライブラリー４００から推奨の動画番組をダウンロードして再生する。
【００１５】
図２は、本発明の別の実施例による動画番組推奨システムでの移動インターネット端末とサーバの構造模式図である。図２に示すシステムは、端末１００とサーバ２００を含む。端末１００は、チューナー１１０と、ブラウザ／ＡＰＰ１２０と、検索マネージャー１３０と、ソーシャルメディアマネージャー１４０とを含む。図示の実施例では、検索マネージャー１３０は、具体的に放送ＥＰＧキーワード抽出器１３１と、放送キーフレーム抽出器１３２と、鑑賞・検索履歴バッファ１３４と、ストリーミングメディア推奨バッファ１３５と、検索リクエスト生成器１３３とを含む。ソーシャルメディアマネージャー１４０は、ユーザおよびその友人のソーシャルメディアアカウント１４１を管理し、ソーシャル動画特徴フィルタを利用してソーシャルメディア上の動画リンクをフィルタリングして、取得したソーシャルメディア時間軸をソーシャルメディア時間軸バッファ１４３に記憶する。
【００１６】
図２に示すように、放送ＥＰＧキーワード抽出器１３１は、再生中の動画番組の電子番組ガイダンスを解析してキーワードを抽出する。放送キーフレーム抽出器１３２は、前記動画番組からキーフレームを抽出し、例えば前記動画番組のうち、動画ショットの主要内容を代表する画像フレームを抽出して、前記キーフレームとする。放送キーフレーム抽出器１３２は、抽出したキーフレームを識別して、識別した文字内容を取得し、識別した文字内容の少なくとも一部と前記キーワードを合併して、前記キー情報とする。例えば、放送キーフレーム抽出器１３２は、抽出したキーフレームにおける文字内容をテキスト識別技術で識別し、および／または、識別した文字内容の少なくとも一部と前記キーワードを重み付けてからソートして、前記キー情報を形成する。このように、検索リクエスト生成器１３３は、少なくとも、前記キー情報と、クローリングしたソーシャルメディア情報に基づいて、問い合わせリクエストを生成する。他の実施例では、検索リクエスト生成器１３３は、さらに、上記のキー情報と、クローリングしたソーシャルメディア情報と、ユーザの鑑賞・検索履歴バッファー１３４中の情報に基づいて問い合わせリクエストを生成する。このような問い合わせリクエストは、ユーザに密に関連する幾つかの情報を総合的に考慮しているため、ユーザの需要を比較的正確に反映できる。
【００１７】
それから、端末１００は、前記問い合わせリクエストを送受信器（図示せず）を介して前記サーバ２００へ送信する。それから、検索エンジン２１０は、パブリックソーシャルメディアの情報を限定条件として、放送動画ライブラリー３００および／またはインターネット動画ライブラリー４００から前記問い合わせリクエストを使用して動画番組を検索し、当該移動マルチメディア端末１００の動画番組推奨とする。図２に示す検索エンジン２１０は、検索モジュール２１１と、データインタラクティブユニット２１２と、ストリーミング動画インデックス生成器２１３と、パブリックソーシャルメディアインデックス生成器２１４と、ストリーミング動画キーワードサマリー２１５と、パブリックソーシャルメディアキーワードサマリー２１６と、ストリーミング動画クローラ２１７と、パブリックソーシャルメディアクローラ２１８とを含む。
【００１８】
一部の実施例では、ストリーミング動画クローラ２１７は、放送動画ライブラリー３００および／またはインターネット動画ライブラリー４００からストリーミング動画のキーワードをクローリングしてストリーミング動画キーワードサマリー２１５を形成し、それからストリーミング動画インデックス生成器２１３は、これらのキーワードサマリーについて点数をつけてストリーミング動画インデックスを形成する。同時に、パブリックソーシャルメディアクローラ２１８は、パブリックソーシャルメディアからキーワードをクローリングしてパブリックソーシャルメディアキーワードサマリー２１６を形成し、さらにパブリックソーシャルメディアインデックス生成器２１４は、パブリックソーシャルメディアサマリーについて点数をつけてパブリックソーシャルメディアインデックスを形成する。検索モジュール２１１は、端末１００からの検索リクエストを利用して、データインタラクティブユニット２１２でストリーミング動画インデックスとパブリックソーシャルメディアインデックスとマッチングして検索結果を取得し、例えば前記検索リクエストに最もマッチングした幾つかのインデックスを検索結果として動画推奨を形成する。それから、サーバ２００は、前記動画番組推奨を移動マルチメディア端末１００へ送信し、ストリーミングメディア推奨バッファ１３５に記憶する。続いて、ブラウザ／アプリケーション１２０は、再生する番組に関連付けて前記動画番組推奨をユーザに提示する。
【００１９】
一部の実施例では、再生する番組に関連付けて前記動画番組推奨をユーザに提示する際に、再生する動画番組のタイプを検出して、動画番組開始前、再生中、または終了後に前記動画番組推奨をユーザに提示することを決定する。また、ユーザによる動画番組推奨の選択に応じて、現在再生中の動画番組に影響を与えないように前記動画推奨のプレビューを再生する。他の実施例では、動画番組推奨に対するクリック率を統計するために、端末１００は、さらに、前記ユーザによる前記動画番組推奨のクリック率を統計して補助視聴情報とし、前記補助視聴情報をサーバ２００へ送信する。
【００２０】
図３は、本発明の実施例による移動インターネット端末とサーバのインタラクティブを示す。
【００２１】
図３に示すように、ステップＳ３０１において、端末１００は、チューナーを通して移動テレビ番組、例えば放送番組＃１を再生する。当該放送番組は、名称、スタイル、概要、放送時間といったメタデータを有する。
【００２２】
ステップＳ３０２において、移動マルチメディア端末１００による動画番組の再生中に、前記動画番組の電子番組ガイダンスから、および再生する動画番組からキー情報を抽出する。
【００２３】
ステップＳ３０３において、移動マルチメディア端末１００のソーシャルメディアマネージャーは、ユーザおよびその友人のソーシャルメディアアカウントおよび彼らのソーシャルメディア情報を利用して、これらのメンバーに関連するパブリックソーシャルメディア情報をクローリングする。例えば、メンバーごとに、アカウント、関連するテーマ、動画リンク、配信時間などのメタデータを有する。
【００２４】
ステップＳ３０４において、検索リクエスト生成器１３３は、少なくとも、前記キー情報と、クローリングしたソーシャルメディア情報に基づいて、問い合わせリクエストを生成する。他の実施例では、さらに鑑賞・検索履歴バッファ中の履歴情報に基づいて問い合わせリクエストを形成してもいい。
【００２５】
ステップＳ３０５において、移動端末１００は、生成した問い合わせリクエストをサーバ２００へ送信する。ステップＳ３０６において、検索エンジンのクローラは、放送動画ライブラリー３００とインターネット動画ライブラリー４００をクローリングして、ステップＳ３０８においてストリーミング動画インデックスを形成する。ステップＳ３０７において、検索エンジン２１０のクローラは、パブリックソーシャルメディアをクローリングしてステップ３０９においてパブリックソーシャルメディアインデックスを形成してもいい。それから、ステップ３１０において、サーバ２００は、パブリックソーシャルメディアの情報を限定条件として、放送動画ライブラリー３００とインターネット動画ライブラリー４００から問い合わせリクエストを使用して動画番組を検索し、当該移動マルチメディア端末の動画番組推奨とする。
【００２６】
ステップ３１１において、サーバ２００は、生成した動画推奨を移動端末１００へ送信する。ステップ３１２において、動画推奨をストリーミングメディア推奨バッファ１３５に記憶する。続いて、ステップ３１３において、ブラウザ／アプリケーション１２０は、再生する番組に関連付けて前記動画番組推奨をユーザに提示する。
【００２７】
以上の実施例において、端末１００とサーバとのインタラクティブによって本発明の一部の実施例を記載したが、本分野の技術者は、移動端末１００側またはサーバ２００側で本発明を実現することもできる。例えば、移動端末１００側で問い合わせリクエストを形成し、サーバからの動画推奨に基づいて番組を提示する。また、サーバ２００側で、端末からの問い合わせリクエストを受信して検索し、動画推奨を取得する。
【００２８】
図４は、本発明の実施例による推奨方法のフロー図である。図４に示すように、ステップＳ４０１において、端末１００は、チューナーを通して移動テレビ番組、例えば放送番組＃１を再生する。当該放送番組は、名称、スタイル、概要、放送時間といったメタデータを有する。ステップＳ４０２において、移動マルチメディア端末１００のソーシャルメディアマネージャーは、ユーザおよびその友人のソーシャルメディアアカウントおよび彼らのソーシャルメディア情報を利用して、これらのメンバーに関連するパブリックソーシャルメディア情報をクローリングする。例えば、メンバーごとに、アカウント、関連するテーマ、動画リンク、配信時間などのメタデータを有する。それから、ステップＳ４０３において、移動端末は、前記の情報を利用して検索リクエストを生成し、ステップ４０４において、生成した検索リクエストをサーバ２００へ送信する。
【００２９】
ステップ４０５において、検索エンジンのクローラは、放送動画ライブラリー３００とインターネット動画ライブラリー４００をクローリングして、ストリーミング動画インデックスを形成する。ステップＳ４０６において、検索エンジン２１０のクローラは、パブリックソーシャルメディアをクローリングしてパブリックソーシャルメディアインデックスを形成してもいい。それから、ステップ４０７において、サーバ２００は、パブリックソーシャルメディアの情報を限定条件として、放送動画ライブラリー３００とインターネット動画ライブラリー４００から問い合わせリクエストを使用して動画番組を検索し、当該移動マルチメディア端末の動画番組推奨とする。
【００３０】
ステップ４０８において、サーバ２００は、生成した動画推奨を移動端末１００へ送信する。例えば、動画推奨をストリーミングメディア推奨バッファ１３５に記憶する。続いて、ステップ４０９において、ユーザは、提供された動画推奨を選択する。ステップ４１０において、ブラウザ／アプリケーション１２０は、例えばインターネット動画ライブラリーから当該動画番組をダウンロードして再生する。
【００３１】
以上の詳細な記載は、ブロック図、フロー図および／または例示により移動インターネット端末、動画推奨方法およびサーバのいくつかの実施例を述べた。このようなブロック図、フロー図および／または例示には、ひとつまたは複数の機能および／または操作が含まれる場合、このようなブロック図、フロー図および／または例示における各機能および／または操作は各種類のハードウェア、ソフトウェア、ファームウェアまたは実質上それらの任意の組み合わせにより単独および／または共同で実現可能なことは当業者が理解すべきである。一実施例において、本発明の実施例による主題の幾つかの部分は、ＡＳＩＣ、ＦＰＧＡ、ＤＳＰ、または他の集積方式で実現可能である。しかし、ここで開示している実施例の一部は、全体的にまたは一部的に集積回路に同等に実現でき、一台または複数台のコンピュータで実行する一つまたは複数のコンピュータプログラム（例えば一台または複数台のコンピュータシステムで実行する一つまたは複数のプログラム）、一つまたは複数のプロセッサーで実行する一つまたは複数のプログラム（例えば一つまたは複数のマイクロプロセッサーで実行する一つまたは複数のプログラム）、ファームウェア、または実質上の上記方式の任意の組み合わせとして実現することは、当業者が認識すべきことである。しかも当業者が本開示に基づき、回路設計および／またはソフトウェアおよび／またはファームウェアコードを書き込む能力を備える。また、本開示の主題の仕組みは、複数種類の形式のプログラムプロダクトとして分配でき、実際に分配を実行する信号担持媒体の具体的なタイプにかかわらず、本開示の主題の例示的な実施例はいずれも適用することは、当業者が認識すべきである。信号担持媒体の例示は、例えばフロッピー（登録商標）ディスク、ハードディスクドライブ、コンパクトディスク（ＣＤ）、デジタル多用途ディスク（ＤＶＤ）、デジタルテープ、コンピュータメモリなどの記録可能な媒体、および、デジタルおよび／またはアナログ通信媒体（例えば光ファイバー・ケーブル、導波路、有線通信リンク、無線通信リンクなど）など転送型媒体を含むが、これらに限らない。
【００３２】
いくつかの典型的な実施例を参照して本発明を記載したが、使用されている術語は、説明のための例示的なものであり、制限するものではないことを理解すべきである。本発明は発明の精神または実質を逸脱することなく複数種類の形式で具体的に実施可能であるが、上記実施例は前述のいかなる細部にも制限されず、添付している特許請求の範囲により限定している精神と範囲内に広く解釈されるべきであり、特許請求の範囲またはその同等効果範囲内に含まれる全ての変化と改良は添付している特許請求にカバーされることは、理解されるべきである。
【図１】
2015090717.tif 000003
【図２】
2015090717.tif 000004
【図３】
2015090717.tif 000005
【図４】
2015090717.tif 000006